(57)【要約】【課題】吸塵効率を向上させると共に、掃除機本体を小型化する。【解決手段】前方下部にホースが接続される吸込口４が形成される掃除機本体１と、掃除機本体１前部に着脱自在に装着される集塵装置３０とを備え、集塵装置３０は、吸込口４に連通する吸気口４０を有する略円筒形状の集塵ケース３１と、集塵ケース３１の上部を閉塞する蓋体３５と、蓋体３５から集塵ケース３１内に延設される排気筒３４とを有し、排気筒３４に、集塵ケース３１内の空気を濾過するフィルタ３３、３６を設けると共に、蓋体３５に、排気筒３４に連通する排出口４１を形成し、集塵ケース３１は、排出口４１を後方に向かって傾斜させた状態で掃除機本体１に装着され、掃除機本体１後部には、掃除機本体１上方位置に、電動送風機１３が吸気側を排出口４１に向けて軸方向を略水平に配設すると共に、電動送風機１３の下方位置にコードリール２１を配置する。【選択図】図１
2012210289.tif 000002
【特許請求の範囲】
【請求項１】
前方下部にホースが接続される吸込口が形成される掃除機本体と、該掃除機本体前部に着脱自在に装着される集塵装置とを備え、
前記集塵装置は、前記吸込口に連通する吸気口を有する略円筒形状の集塵ケースと、該集塵ケースの上部を閉塞する蓋体と、該蓋体から前記集塵ケース内に延設され、前記集塵ケースの略中央部に位置する排気筒とを有し、
前記排気筒に、前記集塵ケース内の空気を濾過するフィルタを設けると共に、前記蓋体に、前記排気筒に連通する排出口を形成し、
前記集塵ケースは、前記排出口を後方に向けて傾斜させた状態で掃除機本体に装着され、
前記掃除機本体後部には、掃除機本体上方位置に、電動送風機が吸気側を前記排出口に向けて軸方向を略水平に配設されると共に、前記電動送風機の下方位置にコードリールが配置されることを特徴とするサイクロン式電気掃除機。
【請求項２】
前記掃除機本体は、後方の両側壁の間隔が下方になるに従って広くなるように傾斜して形成されると共に、該両側壁に回動自在に配設される走行輪を備えることを特徴とする請求項１記載のサイクロン式電気掃除機。
【請求項３】
前記掃除機本体は、前記走行輪と対向する側面に、側面に対して略垂直、或いは斜め上向きに形成され、前記電動送風機からの排気が通過する排出口を有し、
前記走行輪は、前記排出口と対応する位置に排気口が形成されることを特徴とする請求項２記載のサイクロン式電気掃除機。
【発明の詳細な説明】
【技術分野】
【０００１】
本発明は、サイクロン式電気掃除機に関するものである。
【背景技術】
【０００２】
従来、前方にサイクロン式の集塵装置を着脱自在に装着し、後方に電動送風機を収納する電気掃除機が知られている（特許文献１）。
【０００３】
特許文献１の集塵装置は、略円筒形の集塵ケースと、集塵ケース上部を閉塞する蓋体と、蓋体から集塵ケース内に垂下形成される排気筒とを有しており、集塵ケースの側面上部には吸気口が形成され、蓋体には排出口が形成されている。
【０００４】
集塵ケースと排気筒との間の吸気口と対向する上部空間に、吸気口から吸引された空気を旋回させて塵埃を分離するサイクロン空間が形成され、下部空間に、サイクロン空間で分離された塵埃を前記間隙により導き蓄積する集塵空間が形成されている。排気筒には、サイクロン空間位置に多数の微少な通気孔が形成されており、サイクロン空間で塵埃を分離した空気が通気孔を介して内部に吸引され、蓋体内に配置されたフィルタを通過した後、排出口より電動送風機へ吸引される。
【０００５】
特許文献１の集塵装置は、上述の通り、サイクロン空間と、集塵空間とが必要となるが、塵埃は集塵空間に下方から上方へ向かって蓄積されていくため、充分な塵埃の蓄積量を確保できるように、集塵装置は縦長に形成される。特許文献１のサイクロン式電気掃除機は、縦長の集塵装置を垂直方向に収納しているため、掃除機本体も上下方向に寸法が大きくなり、縦長で不安定な形状となる。また、床用吸込具等が接続されるホースは、集塵装置の集塵ケース上部に形成される吸気口に連通されるため、掃除機本体の上方位置に接続される構成となる。そのため、掃除操作に伴ってホースを引いた際に、掃除機本体が不安定であることと相まって、掃除機本体が転倒しやすいという問題があった。
【０００６】
上記問題を解決するために、集塵装置を掃除機本体に対して、斜めに傾けて配置し、ホースを掃除機本体の前方下部に接続する構成とすることで、掃除機本体の上下方向の寸法増加を抑制すると共に、掃除機本体の転倒を防止する電気掃除機が知られている（特許文献２）。
【先行技術文献】
【特許文献】
【０００７】
【特許文献１】特開２０１０−１４８８８２
【特許文献２】特願２０１０−２４４９９０
【発明の概要】
【発明が解決しようとする課題】
【０００８】
特許文献２の電気掃除機は、電動送風機の吸込抵抗を低減させて吸塵効率を向上するために、電動送風機が吸気口を上方に向けて配置されており、電動送風機の側方にコードリールが並設されている。特許文献２の電気掃除機は、電動送風機とコードリールを横方向に並べて配置しているので、掃除機本体後部の幅寸法が大きくなる問題がある。また、特許文献２の電気掃除機は、排気口が掃除機本体後方上部に形成されており、電動送風機からの排気が排気口へ効率よく導かれるように排気風路の面積を広く設定する必要があり、電動送風機とコードリールとを並設していることと相まって、全体として掃除機本体後部の幅寸法が大きくなる問題があった。
【０００９】
本発明は、斯かる問題を解決するために、吸塵効率を向上すると共に、掃除機本体を小型化し得るサイクロン式電気掃除機を提供することを課題とする。
【課題を解決するための手段】
【００１０】
前方下部にホースが接続される吸込口が形成される掃除機本体と、該掃除機本体前部に着脱自在に装着される集塵装置とを備え、前記集塵装置は、前記吸込口に連通する吸気口を有する略円筒形状の集塵ケースと、該集塵ケースの上部を閉塞する蓋体と、該蓋体から前記集塵ケース内に延設され、前記集塵ケースの略中央部に位置する排気筒とを有し、前記排気筒に、前記集塵ケース内の空気を濾過するフィルタを設けると共に、前記蓋体に、前記排気筒に連通する排出口を形成し、前記集塵ケースは、前記排出口を後方に向けて傾斜させた状態で掃除機本体に装着され、前記掃除機本体後部には、掃除機本体上方位置に、電動送風機が吸気側を前記排出口に向けて軸方向を略水平に配設されると共に、前記電動送風機の下方位置にコードリールが配置されることを特徴とする。
【００１１】
前記掃除機本体は、後方の両側壁の間隔が下方になるに従って広くなるように傾斜して形成されると共に、該両側壁に回動自在に配設される走行輪を備えることが好ましい。
【００１２】
また、前記掃除機本体は、前記走行輪と対向する側面に、側面に対して略垂直、或いは斜め上向きに形成され、前記電動送風機からの排気が通過する排出口を有し、前記走行輪は、走行輪の側壁に対して、略垂直方向に貫通し、前記排出口と対応する位置に排気口が形成されることが好ましい。
【発明の効果】
【００１３】
請求項１によると、電動送風機が吸気側を前記排出口に向けて配設され、電動送風機とコードリールが上下に配置される構成とすることで、電気掃除機の吸塵効率を維持しつつ、掃除機本体の寸法、特に掃除機本体後部の横幅寸法を小さくすることができる等の効果を奏する。
【００１４】
請求項２によると、走行輪は下方になるにつれて広がるように傾斜させて軸支されるため、掃除機本体を安定して走行させることができる等の効果を奏する。
【００１５】
請求項３によると、電動送風機からの排気が、排出口及び排気口を介して、上向きに排気される構成となるため、排気が被掃除面に吹き付けることがなく、排気による被掃除面上の塵埃等の巻き上げを防止することができる等の効果を奏する。
【図面の簡単な説明】
【００１６】
【図１】本発明の実施形態を示す断面図である。
【図２】同電動送風機及びコードリールの位置関係を示す分解斜視図である。
【図３】同走行輪を外した状態の側面図である。
【図４】同側面図である。
【図５】同電動送風機からの排気の流れを説明する断面図である。
【図６】同集塵装置の構造を示す断面図である。
【発明を実施するための形態】
【００１７】
１は掃除機本体で、上ケース２及び下ケース３から構成されている。４は前記掃除機本体１前方下部に形成される吸込口で、可撓性ホースが着脱自在に接続され、延長パイプを介して床用吸込具（いずれも図示せず）に連通するようになっている。
【００１８】
５は前記掃除機本体１前部に形成される集塵装置収納室で、後述する集塵装置３０の底部を支持する前側壁面と、集塵装置３０の蓋体３５を支持する後側壁面とを有している。前記集塵装置収納室５底面前方位置には図示しない接続口が形成されており、該接続口に後述する集塵装置３０の吸気口４０が気密に接続するようになっている。６は前記集塵装置収納室５の後側壁面の略中央部に形成された吸引口で、後述する集塵装置３０の排出口４１が気密に接続するようになっている。７は前記掃除機本体１内に形成され、前記吸込口４から前記接続口へ至る吸塵路で、前記上ケース２及び下ケース３と一体形成されるリブ８、９により区画形成されている。
【００１９】
１０は前記掃除機本体１後部を上下に区画する区画板で、前記掃除機本体１内面との間に図示しない通気路を複数個所形成するように保持され、略中央部分に多数の小孔１１が形成されている。
【００２０】
１２は電動送風機１３を収納する収納部で、前記電動送風機１３のモータ部を収納するモータ収納部１４と、前記電動送風機１３のファン部を収納するファン収納部１５とから構成されており、前記電動送風機１３の吸気側を前方へ向けて電動送風機１３の軸方向が略水平になるように支持している。前記収納部１２のモータ収納部１４には、下方に向かって排気管１６が形成されており、該排気管１６は前記区画板１０の小孔１１を囲繞するように区画板１０に気密に固定されている。１７は前記排気管１６内に配設される排気フィルタである。前記ファン収納部１５には、前記電動送風機１３の吸気口と対向する位置に開口１８が形成されており、該開口１８と前記吸引口６とを吸引路１９により気密に連結している。２０は前記区画板１０の下方に形成されるコードリール収納室で、コードリール２１が回転軸２２を略垂直に支持されている。
【００２１】
前記掃除機本体１の上部空間には、前記収納部１２の両側に排気室２３が形成され、該排気室２３に制御基板(図示せず)が収納されており、前記掃除機本体１内面と区画板１０との間に形成される前記通気路（図示せず）を介して前記コードリール収納室２０と連通している。
【００２２】
前記掃除機本体１後部両側壁は、前記排気室２３に対応する両側壁の間隔が下方になるに従って広くなるように傾斜して形成されている。２４は前記掃除機本体１の側面に形成される軸受孔、２５は前記掃除機本体１側面の軸受孔２４より上方位置で、且つ軸受孔２４に対する同心円上に複数形成される吐出口で、掃除機本体１両側壁に対して略垂直、或いは斜め上向きに形成されている。
【００２３】
２６は前記軸受孔２４に軸支される車軸（図示せず）を備えた走行輪で、前記吐出口２５を覆うように前記掃除機本体１に回動自在に支持される。２８は前記吐出口２５の下方に配置される遮蔽壁で、吐出口２５から排出される排気が掃除機本体１の側壁と走行輪２６との間の隙間から下方へ流れるのを防止している。前記走行輪２６には、排気口２９が走行輪２６の側壁に対して略垂直、或いは外径方向に傾斜して多数形成されており、前記吐出口２５から吐出される排気が、該走行輪２６の排気口２９を介して、斜め上方へ排気されるようになっている。
【００２４】
３０は前記掃除機本体１の集塵装置収納室５に着脱自在に収納される集塵装置で、透明な合成樹脂で形成され、上面を開口した略円筒状の集塵ケース３１と、該集塵ケース３１内の底面に回転自在に装着される円筒状の筒体３２と、該筒体３２の内側に配設され、メインフィルタ３３を備えた排気筒３４と、前記集塵ケース３１の上面開口を開閉自在に閉塞する蓋体３５とで構成されている。前記集塵装置３０は、集塵装置収納室５への収納状態で、前記蓋体３５が後方上部に向くように傾斜して装着されるようになっている。
【００２５】
前記筒体３２には、前記蓋体３５側の略半分にメッシュ状のプレフィルタ３６が設けられると共に、外周全体にわたって螺旋体３７が設けられている。
【００２６】
前記メインフィルタ３３は、濾過された空気の通路となる排気筒３４の外周に襞状に折り畳んだ不織布を筒状に配設して形成されている。前記排気筒３４は、前記集塵ケース３１の下面に着脱自在に装着され、該排気筒３４により排気筒３４と前記集塵ケース３１下面との間に前記筒体３２を挟持している。
【００２７】
３８は前記集塵装置３０の掃除機本体１への装着状態における上方に位置する前記集塵ケース３１の側面に設けられた把手、３９は前記集塵ケース３１の底面に設けられた筒体３２を回転させる回転機構である。
【００２８】
４０は前記集塵ケース３１側面に設けられた吸気口で、前記集塵装置３０の掃除機本体１への装着状態において、前部下方位置で、且つ前記集塵ケース３１の中心に対して偏心した位置に形成されており、周縁に設けられたパッキン(図示せず)によって、前記掃除機本体１の接続口に気密に接続されるようになっている。また、前記接続口には、常時吸気口４０を閉塞する方向に付勢され、集塵ケース３１内側にのみ開放する図示しない弁体が設けられており、集塵ケース３１内の塵埃等が吸気口４０から漏れるのを防止している。
【００２９】
前記蓋体３５には、略中央部分に排出口４１が形成されており、該排出口４１はメインフィルタ３３の排気筒３４内に連通すると共に、集塵装置３０の掃除機本体１への装着状態で、排出口４１が掃除機本体１の吸引口６に図示しないパッキンを介して気密に連通するようになっている。前記排出口４１に設けられたパッキンは、メインフィルタ３３の排気筒３４に当接し、排気筒３４と蓋体３５との間からメインフィルタ３３の不織布を通過しない空気が電動送風機１３に向かって流れるのを防止するようになっている。
【００３０】
而して、吸込口４に可撓性ホースを接続し、電動送風機１３を駆動すると、床用吸込具から吸引された塵埃が、延長管、可撓性ホースを介して吸込口４から吸塵路７、接続口、吸気口４０を経て集塵ケース３１内に入り、集塵ケース３１内壁に沿って旋回しながら蓋体３５側に流れ、比較的大きな塵埃は圧縮されて蓋体３５側から堆積していく。
【００３１】
微細な塵埃は空気と共にプレフィルタ３６を通過するが、メインフィルタ３３の不織布により濾過され、清浄な空気のみメインフィルタ３３を通過して吸引路１９を経て電動送風機１３を通過する。電動送風機１３から排気された空気は、排気管１６及び小孔１１を介して、コードリール２１に向けて送風され、コードリール２１の電源コードを冷却する。その後、区画板１０と掃除機本体１内面との間の通気路を介して、収納部１２の両側に位置する排気室２３を通り、掃除機本体１側面の吐出口２５から外部へ吐出される。吐出口２５から吐出された空気は、吐出口２５と対向する走行輪２６に形成されている排気口２９から斜め上方へ排出される。
【００３２】
本実施形態では、電動送風機１３とコードリール２１を上下に配置することにより、コードリールを電動送風機の側方に配設する構成と比較して、掃除機本体１後部の横幅寸法を小さくすることができる。
【００３３】
また、電動送風機１３を上方に配置することにより、電動送風機１３の吸気口を、集塵装置３０の収納状態で後方に向く排出口４１に対向させることができ、電動送風機１３の吸気口を排出口４１に向けて略水平に支持することにより、集塵装置３０内の空気を排出口４１から電動送風機１３の吸気口にスムーズに導くことができ、吸込抵抗を低減し、吸塵効率を向上させることができる。
【００３４】
さらに、電動送風機１３からの排気を排気管１６及び小孔１１を介して、電動送風機１３の下方位置に配設されているコードリール２１へ向けて送風する構成とすることで、コードリール２１を冷却することができる。
【００３５】
加えて、コードリール２１を冷却した排気を、区画板１０と掃除機本体１内面との間の通気路を介して、収納部１２両側に位置する排気室２３へ導き、排気がスムーズに流れ、排気を効率よく排気口２９へ導くことができる。また、吐出口２５と排気口２９が上向きに形成されており、さらに遮蔽壁２８を設けることにより、排気を上向きに排気することができ、排気による被掃除面上の塵埃の巻き上げを防止することができる。
【００３６】
また、コードリール２１を冷却した排気は、区画板１０と掃除機本体１内面との間の比較的狭い通気路を介して、広い排気室２３へ導入されるように構成されているので、狭い通気路から排気室２３へ流れることで排気の流速が減速され、排気に伴う騒音を低減させることができる。
【００３７】
さらに、走行輪２６を下方になるにつれて広がるように、傾斜させて軸支する構成とすることで、掃除機本体１を安定して走行させることができる。また、ホースが接続される吸込口４が掃除機本体１底部に形成されていることと相まって、掃除操作に伴ってホースを引っ張った際に、掃除機本体１の安定性を向上させることができ、掃除機本体１の転倒を防止することができる。
【産業上の利用可能性】
【００３８】
本発明は、サイクロン式電気掃除機に広く利用可能である。
【符号の説明】
【００３９】
１    掃除機本体
４    吸込口
５    集塵装置収納室
６    吸引口
１０  区画板
１１  小孔
１２  収納部
１３  電動送風機
１６  排気管
１９  吸引路
２０  コードリール収納室
２１  コードリール
２３  排気室
２４  軸受孔
２５  吐出口
２６  走行輪
２８  遮蔽壁
２９  排気口
３０  集塵装置
３１  集塵ケース
３２  筒体
３３  メインフィルタ
３４  排気筒
３５  蓋体
４０  吸気口
４１  排出口
【図１】
2012210289.tif 000003
【図２】
2012210289.tif 000004
【図３】
2012210289.tif 000005
【図４】
2012210289.tif 000006
【図５】
2012210289.tif 000007
【図６】
2012210289.tif 000008